【手続補正書】
【提出日】平成25年6月25日(2013.6.25)
【手続補正１】
【補正対象書類名】明細書
【補正対象項目名】発明の名称
【補正方法】変更
【補正の内容】
【発明の名称】文書管理装置、文書管理方法、およびプログラム
【手続補正２】
【補正対象書類名】明細書
【補正対象項目名】０００６
【補正方法】変更
【補正の内容】
【０００６】
上記課題を解決するために、本発明の文書管理装置は、同一のファイル形式の複数のファイルを１つの文書の各バージョンとして管理可能な文書管理装置であって、異なるファイル形式の複数のファイルを１つの文書の各バージョンとして管理可能な別の装置から、当該別の装置で管理されている文書を取得する取得手段と、前記取得手段で取得した文書に含まれる最新バージョンのファイルを、移行文書として前記文書管理装置の指定されたフォルダに登録する第１の登録手段と、前記最新バージョンのファイルのファイル形式と異なるファイル形式のファイルが前記取得手段で取得した該文書に含まれている場合、該文書に含まれているファイルのうち、当該異なるファイル形式のファイル以前のバージョンのファイルを、別の文書として前記指定されたフォルダと異なる別のフォルダに登録し、当該登録された別の文書と前記移行文書とをリンクさせるための拡張情報を登録する第２の登録手段と、前記最新バージョンのファイルのファイル形式と異なるファイル形式のファイルが前記取得手段で取得した該文書に含まれている場合、該文書に含まれているファイルのうち、当該異なるファイル形式のファイルより後のバージョンのファイルそれぞれを、前記移行文書の対応するバージョンのファイルとして登録する第３の登録手段とを備えることを特徴とする。
【手続補正３】
【補正対象書類名】明細書
【補正対象項目名】０００７
【補正方法】変更
【補正の内容】
【０００７】
また、本発明の方法は、同一のファイル形式の複数のファイルを１つの文書の各バージョンとして管理可能な文書管理装置における文書管理方法であって、異なるファイル形式の複数のファイルを１つの文書の各バージョンとして管理可能な別の装置から、当該別の装置で管理されている文書を取得する取得ステップと、前記取得ステップで取得した文書に含まれる最新バージョンのファイルを、移行文書として前記文書管理装置の指定されたフォルダに登録する第１の登録ステップと、前記最新バージョンのファイルのファイル形式と異なるファイル形式のファイルが前記取得ステップで取得した該文書に含まれている場合、該文書に含まれているファイルのうち、当該異なるファイル形式のファイル以前のバージョンのファイルを、別の文書として前記指定されたフォルダと異なる別のフォルダに登録し、当該登録された別の文書と前記移行文書とをリンクさせるための拡張情報を登録する第２の登録ステップと、前記最新バージョンのファイルのファイル形式と異なるファイル形式のファイルが前記取得ステップで取得した該文書に含まれている場合、該文書に含まれているファイルのうち、当該異なるファイル形式のファイルより後のバージョンのファイルそれぞれを、前記移行文書の対応するバージョンのファイルとして登録する第３の登録ステップとを備えることを特徴とする。
【手続補正４】
【補正対象書類名】特許請求の範囲
【補正対象項目名】全文
【補正方法】変更
【補正の内容】
【特許請求の範囲】
【請求項１】
同一のファイル形式の複数のファイルを１つの文書の各バージョンとして管理可能な文書管理装置であって、
異なるファイル形式の複数のファイルを１つの文書の各バージョンとして管理可能な別の装置から、当該別の装置で管理されている文書を取得する取得手段と、
前記取得手段で取得した文書に含まれる最新バージョンのファイルを、移行文書として前記文書管理装置の指定されたフォルダに登録する第１の登録手段と、
前記最新バージョンのファイルのファイル形式と異なるファイル形式のファイルが前記取得手段で取得した該文書に含まれている場合、該文書に含まれているファイルのうち、当該異なるファイル形式のファイル以前のバージョンのファイルを、別の文書として前記指定されたフォルダと異なる別のフォルダに登録し、当該登録された別の文書と前記移行文書とをリンクさせるための拡張情報を登録する第２の登録手段と、
前記最新バージョンのファイルのファイル形式と異なるファイル形式のファイルが前記取得手段で取得した該文書に含まれている場合、該文書に含まれているファイルのうち、当該異なるファイル形式のファイルより後のバージョンのファイルそれぞれを、前記移行文書の対応するバージョンのファイルとして登録する第３の登録手段と
を備えることを特徴とする文書管理装置。
【請求項２】
前記最新バージョンのファイルのファイル形式と異なるファイル形式のファイルが前記取得手段で取得した該文書に含まれていない場合、前記第３の登録手段は、該文書に含まれている同じファイル形式のファイルのそれぞれを、前記移行文書の対応するバージョンのファイルとして登録することを特徴とする請求項１に記載の文書管理装置。
【請求項３】
クライアント装置から、ユーザにより選択された文書のバージョン情報を要求するリクエストを受信した場合、当該選択された文書に含まれているバージョンの情報と、前記拡張情報に基づいて当該選択された文書とリンクされている別の文書に含まれているバージョンの情報とをマージし、当該マージされたバージョン情報を前記クライアント装置に送信する第１の送信手段を、更に備えることを特徴とする請求項１または２に記載の文書管理装置。
【請求項４】
前記クライアント装置から、前記マージされたバージョン情報の中から前記ユーザにより指定されたバージョンのファイルの取得を要求するリクエストを受信した場合、当該指定されたバージョンに対応するファイルの実体を取得して前記クライアント装置へ送信する第２の送信手段を、更に備えることを特徴とする請求項３に記載の文書管理装置。
【請求項５】
前記クライアント装置から、前記マージされたバージョン情報の中から前記ユーザにより指定されたバージョンのファイルの削除を要求するリクエストを受信した場合、当該指定されたバージョンに対応するファイルの情報を削除する削除手段を、更に備えることを特徴とする請求項３に記載の文書管理装置。
【請求項６】
前記第２の登録手段は、前記最新バージョンのファイルのファイル形式と異なるファイル形式のファイルが前記取得手段で取得した該文書に含まれている場合、該文書に含まれているファイルのうち、当該異なるファイル形式のファイル以前のバージョンのファイルについて、ファイルの拡張子を変更し、該拡張子が変更されたファイルを別の文書として前記指定されたフォルダと異なる別のフォルダに登録し、当該登録された別の文書と前記移行文書とをリンクさせるための拡張情報を登録することを特徴とする請求項１に記載の文書管理装置。
【請求項７】
同一のファイル形式の複数のファイルを１つの文書の各バージョンとして管理可能な文書管理装置における文書管理方法であって、
異なるファイル形式の複数のファイルを１つの文書の各バージョンとして管理可能な別の装置から、当該別の装置で管理されている文書を取得する取得ステップと、
前記取得ステップで取得した文書に含まれる最新バージョンのファイルを、移行文書として前記文書管理装置の指定されたフォルダに登録する第１の登録ステップと、
前記最新バージョンのファイルのファイル形式と異なるファイル形式のファイルが前記取得ステップで取得した該文書に含まれている場合、該文書に含まれているファイルのうち、当該異なるファイル形式のファイル以前のバージョンのファイルを、別の文書として前記指定されたフォルダと異なる別のフォルダに登録し、当該登録された別の文書と前記移行文書とをリンクさせるための拡張情報を登録する第２の登録ステップと、
前記最新バージョンのファイルのファイル形式と異なるファイル形式のファイルが前記取得ステップで取得した該文書に含まれている場合、該文書に含まれているファイルのうち、当該異なるファイル形式のファイルより後のバージョンのファイルそれぞれを、前記移行文書の対応するバージョンのファイルとして登録する第３の登録ステップと
を備えることを特徴とする文書管理方法。
【請求項８】
コンピュータを、同一のファイル形式の複数のファイルを１つの文書の各バージョンとして管理可能な文書管理装置として機能させるためのプログラムであって、
前記コンピュータを、
異なるファイル形式の複数のファイルを１つの文書の各バージョンとして管理可能な別の装置から、当該別の装置で管理されている文書を取得する取得手段、
前記取得手段で取得した文書に含まれる最新バージョンのファイルを、移行文書として前記文書管理装置の指定されたフォルダに登録する第１の登録手段、
前記最新バージョンのファイルのファイル形式と異なるファイル形式のファイルが前記取得手段で取得した該文書に含まれている場合、該文書に含まれているファイルのうち、当該異なるファイル形式のファイル以前のバージョンのファイルを、別の文書として前記指定されたフォルダと異なる別のフォルダに登録し、当該登録された別の文書と前記移行文書とをリンクさせるための拡張情報を登録する第２の登録手段、
前記最新バージョンのファイルのファイル形式と異なるファイル形式のファイルが前記取得手段で取得した該文書に含まれている場合、該文書に含まれているファイルのうち、当該異なるファイル形式のファイルより後のバージョンのファイルそれぞれを、前記移行文書の対応するバージョンのファイルとして登録する第３の登録手段、
として機能させるためのプログラム。